(57)【特許請求の範囲】
【請求項１】
成形機に備えられた表示装置の表示画面上に、運転条件を設定・変更するための各種運転条件設定画像を選択的に表示し、この運転条件設定画像において各種項目の条件が、設定・変更可能とされた成形機であって、
ある運転条件設定画像が所定回数だけ呼び出し表示された際に、この間一度も設定・変更されなかった項目については、次回の同一の運転条件設定画像の呼び出し表示の際に、自動的に消去する手段を有する、
ことを特徴とする成形機。
【請求項２】
成形機に備えられた表示装置の表示画面上に、運転条件を設定・変更するための各種運転条件設定画像を選択的に表示し、この運転条件設定画像において各種項目の条件が、設定・変更可能とされた成形機であって、
ある運転条件設定画像において、当初の画像呼び出し時に設定・変更されなかった項目であって、かつ、このある運転条件設定画像が所定回数だけ呼び出し表示された際にも、一度も設定・変更されなかった項目については、次回の同一の運転条件設定画像の呼び出し表示の際に、自動的に消去する手段を有する、
ことを特徴とする成形機。
【請求項３】
請求項１または２記載において、
前記消去された項目を復帰表示させるための表示復帰用マークが、表示されることを特徴とする成形機。
【請求項４】
成形機に備えられた表示装置の表示画面上に、一覧表の形式で運転条件設定画像を表示し、この一覧表形式の運転条件設定画像において、各項目の条件が設定・変更可能とされた成形機であって、
前記一覧表形式の運転条件設定画像中の各項目における所定期間内での設定・変更頻度の高い順に、または設定・変更時刻の新しい順に、前記一覧表形式の運転条件設定画像中の各項目の表示位置を自動的に並び換えて、前記表示装置の表示画面上に表示させる手段を有する、
ことを特徴とする成形機。
【請求項５】
請求項４記載において、
前記一覧表形式の運転条件設定画像が所定回数だけ呼び出し表示された際に、この間一度も設定・変更されなかった項目については、次回の同一の一覧表形式の運転条件設定画像の呼び出し表示の際に、自動的に消去する手段を有する、
ことを特徴とする成形機。
【請求項６】
請求項１乃至５の何れか１項に記載において、
表示形態を初期の設定状態に復帰させるための初期状態復帰キー手段、または、ある一定の期間操作がない場合に、表示形態を初期の設定状態に復帰させる手段を設けたことを特徴とする成形機。
【発明の詳細な説明】
【０００１】
【発明の属する技術分野】
本発明は、表示装置の表示画面上に各種画像を表示可能とした射出成形機やダイカストマシンなどの成形機に係り、特に、ユーザフレンドリィな学習表示機能を備えた成形機に関するものである。
【０００２】
【従来の技術】
成形機、例えば射出成形機においては、マシン（射出成形機）に付設された表示装置の表示画面上に、射出計量関連表示モード、型開閉関連表示モード、モニタ関連表示モード、グラフ関連表示モードなどの、各モード種別毎の画像を選択的に表示できるようにしている。そして、例えば所望の運転条件設定画像を選択表示させることによって、運転条件の設定・変更操作を行ったり、あるいは、所望のグラフ画像を選択表示させることによって、設定値や測定値を対比して視認・検討すること等々を、可能にしている。
【０００３】
ところで、近年、成形品は精密、高精度が求められ、それに対応するためマシンには多機能が搭載されている。そして、各種の成形品に対応するために、多種類の動作モードが用意されて、このうちの所望のものが選択可能とされたり、あるいは、きめ細かい設定や微調整が行えるように、多数の設定値が設定・変更可能とされている。このため、表示される画像の種類が増大し、また、１枚の画像中に表示される設定値の項目数も増大してきている。
【０００４】
一方、マシンに付設される表示装置としては、近年１０．４インチ〜１２インチ程度の表示画面をもつ、従前と比較すると比較的に大型で視認性のよい液晶表示装置が採用されてきている。ところが、このような比較的に大型の表示画面をもつ液晶表示装置を採用しても、１枚の画像中に表示できる項目数やグラフの表示分解能には自ずと限界がある。よって、多機能化に対応するために、表示する画像の数が増大することを余儀なくされ、かつ、１枚の画像中に表示される項目の数も増大することも否めなかった。
【０００５】
【発明が解決しようとする課題】
上述したように、射出成形機などの成形機においては、表示する画像の数が増大してきているので、所望の画像を表示させるまでのキー操作の回数が増し、画像の切り換え操作が煩雑であるという問題を生じていた。また、ある運転条件設定画像の表示状態へと切り換えた場合には、設定・変更用カーソルは、新たに表示された運転条件設定画像中の所定位置（例えば左上の位置）の設定項目に常に位置付けられているので、この設定・変更用カーソルがセットされている設定項目以外の数値を設定・変更するためには、運転条件設定画像中の多数の設定項目から所望のものを目視によって探し出し、ここへ設定・変更用カーソルをセットした後、数値を設定・変更する操作を行う必要があるので、目視によって探し出す作業が面倒で、迅速な設定・変更操作が行えないという問題も指摘されていた。すなわち、従来の成形機の表示形態では、操作の煩雑化を招き、迅速な操作が行えないと共に、操作ミスを発生しやすいという問題があった。
【０００６】
本発明は上記の点に鑑みなされたもので、その目的とするところは、よく利用する画像に素早くアクセス可能で、また、よく利用する設定項目の迅速な設定・変更操作が可能となる、総じて、操作しやすく、あるいは、見やすい表示を行うことのできる、ユーザフレンドリィな成形機を提供することにある。
【０００７】
【課題を解決するための手段】
上記した目的を達成するために、本発明による代表的な１つの発明では、成形機に備えられた表示装置の表示画面上に、運転条件を設定・変更するための各種運転条件設定画像を選択的に表示し、この運転条件設定画像において各種項目の条件が、設定・変更可能とされた成形機において、
ある運転条件設定画像が所定回数だけ呼び出し表示された際に、この間一度も設定・変更されなかった項目については、次回の同一の運転条件設定画像の呼び出し表示の際に、自動的に消去する手段を有する、構成をとる。
【０００８】
【発明の実施の形態】
以下、本発明の実施の形態を、図面を用いて説明する。
【０００９】
図１は、本発明の一実施形態に係る射出成形機の外観を示す正面図である。図１において、１は電源系や制御ユニットなどを収納したベース盤、２は型締め（型開閉）ユニット、３は射出ユニット、４は表示装置５と入力装置６とを備えた操作・表示パネルであり、この操作・表示パネル４は、型締めユニット２の枠体に、図示で左辺側を回動中心として所定量回動可能であるように取り付けられている。
【００１０】
図２は操作・表示パネル４の正面図であり、５は表示装置、６は入力装置である。表示装置５は、例えば１０．４インチの表示画面をもつＴＦＴカラー液晶表示装置によって構成されており、表示装置５の表示画面はタッチパネルで構成された入力部となっている。また、表示装置５の上下が各種キーをもつ入力装置６となっており、表示装置５の下側がメインの入力部となっている。表示装置５の下側において入力装置６には、表示のモード種別毎に対応するモード選択キー６−１ａ〜６−１ｈ、運転モードキー６−２、テンキー６−３、条件設定キー６−４、手動操作用キー６−５が設けられている。そして、モード選択キー６−１ａ〜６−１ｈの１つをプッシュ（タッチ）することによって、表示装置６の表示画面上に、選択されたモード種別の画像の１つが表示されるようになっている。
【００１１】
図３は、本実施形態の射出成形機における表示制御処理系の構成を示すブロック図であり、同図において、１０はシステムコントローラ、１１は運転条件設定格納部、１２は測定値格納部、１３はモニタ（監視）演算処理部、１４は表示用固定データ格納部、１５は表示処理部、１６は画像バッファメモリである。なお、図３において、５ａはタッチパネルで構成される表示装置５の入力部である。
【００１２】
運転条件設定格納部１１には、計量、射出、型開閉、エジェクト等の各行程における運転条件値（位置、速度、圧力、回転数等）や、温度制御条件値などの条件値が書き換え可能に記憶されている。測定値格納部１２には、マシンの各部に配設した各種センサからの計測情報や時計情報等に基づき、必要に応じ演算処理されて得られた、各種の運転条件の測定値（位置、速度、圧力、回転数、温度、電力等）が、所定ショット数にわたって取り込まれている。モニタ演算処理部１３は、測定値格納部１２に格納されたデータを、自身が保持する良／不良判定テーブルの内容に基づき良／不良判定したり、測定値格納部１２に格納された多数ショットのデータを統計演算処理し、その処理結果を保持するようになっている。表示用固定データ格納部１４には、表示する画像中に必要なテキスト、図形、罫線等のデータが格納されている。
【００１３】
表示処理部１５は、上記した各部１１、１２、１３、１４から必要に応じ適宜にデータを読み込み、予め作成された画像生成プログラムにしたがって、各種の画像を生成する。また、表示処理部１５は、オペレータの操作来歴に応じ、予め作成された画像生成プログラム中の学習表示アルゴリズムにしたがって、後述するように、生成する画像の一部の形態を変化させたり等する。そして、表示処理部１５で生成された画像は、画像バッファメモリ（フレームメモリ）１６に一時格納され、この画像バッファメモリ１６を介して、画像が表示装置５の表示画面上に表示されるようになっている。
【００１４】
図４は、前記した入力装置６のモード選択キー６−１ａ〜６−１ｈにそれぞれ対応する表示のモード種別と、各モード種別毎に用意された画像の種類を示す図である。例えば、モード選択キー６−１ａに対応する「射出計量」表示モードには、「射出計量設定」画像と、「射出グラフ」画像と、「計量グラフ」画像とが用意されており、初期状態においてモード選択キー６−１ａをプッシュすると、図７に示すような「射出計量設定」画像が、表示装置５の表示画面上に表示されるようになっている。以下、同様に、モード選択キー６−１ｂ〜６−１ｈにそれぞれ対応する「型開閉」表示モード、「温度」表示モード、「生産管理」表示モード、「モニタ」表示モード、「グラフ」表示モード、「段取り」表示モード、「メンテナンス」表示モードには、図４に示したような画像がそれぞれ用意されており、初期状態においてモード選択キー６−１ｂ〜６−１ｈの何れかをプッシュすると、図４において各モード種別の最も左側の画像（「メンテナンス」表示モードにおいては上段で最も左側の画像）が表示されるようになっている。
【００１５】
また、モード選択キー６−１ａ〜６−１ｈの何れかをプッシュして画像を呼び出すと、各画像中には、同一表示モード種別に含まれる他の画像を切り換えて呼び出すための画像選択用キーが表示されるようになっている。例えば、初期状態において「射出計量」表示モードのモード選択キー６−１ａをプッシュすると、図７に示すような「射出計量設定」画像が表示され、この画像中の下側に、左から順に、「射出計量」選択用キー、「射出グラフ」選択用キー、「計量グラフ」選択用キーが表示される。そして、図７に示す状態で例えば「射出グラフ」選択用キーをプッシュすると、「射出グラフ」画像へと切り換え表示されるようになっている。また、例えば、初期状態において「グラフ」表示モードのモード選択キー６−１ｆをプッシュすると、図５に示すような「射出グラフ」画像が表示され、この画像中の下側に、左から順に、「射出グラフ」選択用キー、「計量グラフ」選択用キー、「１サイクルグラフ」選択用キー、「１サイクルロジック」選択用キー、「項目選択」選択用キーが表示される。そして、図５に示す状態で例えば「１サイクルグラフ」選択用キーをプッシュすると、「１サイクルグラフ」画像へと切り換え表示され、この「１サイクルグラフ」画像の表示状態において「項目選択」選択用キーをプッシュすると、「１サイクルグラフ項目選択」画像へと切り換え表示されるようになっている。
【００１６】
なお、初期状態において「メンテナンス」表示モードのモード選択キー６−１ｈをプッシュすると、図示していないが「点検」画像が表示され、この画像中の下側に２列となって、２列の上段左から順に、「点検」選択用キー、「アラーム来歴」選択用キー、「時刻設定」選択用キー、「半固定値記録」選択用キー、「設定禁止」選択用キー、「キャリブレーション」選択用キー、および、「Ｆキー（ファンクションキー）次」選択キー、「Ｆキー戻」選択キーとが表示されるようになっている。そして、この状態で「Ｆキー次」選択キーをプッシュすると、「点検」画像中の下側に２列となって、２列の上段左から順に、「ＰＩＤ」選択用キー、「射出計量予備」選択用キー、「加減速」選択用キー、「単位設定」選択用キー、「チェック」選択用キー、「センサ設定」選択用キー、および、「Ｆキー次」選択キー、「Ｆキー戻」選択キーとが表示されるようになっている。そして、この状態で「Ｆキー次」選択キーをさらにプッシュすると、「点検」画像中の下側に２列となって、２列の上段左から順に、「オプション」選択用キー、「サーボ調整」選択用キー、「メモリダンプ」選択用キー、「半固定値１」選択用キー、「半固定値２」選択用キー、「半固定値３」選択用キー、「半固定値４」選択用キー、および、「Ｆキー次」選択キー、「Ｆキー戻」選択キーとが表示されるようになっており、この状態において、例えば「半固定値１」選択用キーをプッシュすると、「半固定値１」画像へと切り換え表示されるようになっている（図１２は、この「半固定値１」画像の表示状態を示している）。
【００１７】
次に、本実施形態の動作を説明する。ここでは、まず、成形を行いながら、冷却タイマの設定を最適値に調整する作業を例にとって説明する。
【００１８】
冷却タイマとは、金型に樹脂を射出・充填する射出行程（１次射出行程およびそれに引き続く保圧行程）の終了後、金型内で樹脂が冷却固化するのを待つタイマを指し、この冷却タイマがＵＰすると型開きが開始される。また、射出成形機においては、冷却タイマ動作中は、樹脂ペレットを混練・可塑化する計量動作を行っており、この計量動作の終了と、樹脂の冷却固化が終了するのとが、同一タイミングであれば、成形のサイクルタイムが最小となり、このような冷却固化時間を冷却タイマの値とすれば理想的な値となる。しかしながら、計量動作は、樹脂ペレットの密度の差や、混練・可塑化のばらつきにより、計量動作の完了までの時間がばらつくのが一般的であり、このため通常は、冷却タイマの値を、計量動作が完了するまでの時間よりも余裕を見て長めに設定するようにしている。
【００１９】
上記したような冷却タイマの調整を行うとき、計量動作の終了と型開き動作の開始の時間的な確認を行うことが可能な画像として、前記した「１サイクルグラフ」画像が用意されている。表示形態の初期状態において、この「１サイクルグラフ」画像を呼び出すには、まず、「グラフ」表示モードの前記したモード選択キー６−１ｆをプッシュし、図５に示すような「射出グラフ」画像を表示させ、次に、図５の「射出グラフ」画像中の「１サイクルグラフ」選択用キーを手指等でプッシュ（タッチ）することで、図６に示すような「１サイクルグラフ」画像が表示される。図６の「１サイクルグラフ」画像において、横軸はサイクル時間で、縦軸は速度、圧力、回転数を表しており、計量完了タイミングは回転速度（スクリュの回転速度）の立ち下がりで、型開き開始タイミングは型開閉速度の正方向への立ち上がりで確認でき、計量動作完了から型開きが開始されるまでの時間は、一目で確認できるようになっている。
【００２０】
図６の「１サイクルグラフ」画像を見た後、冷却タイマの調整を行うには、「射出計量」表示モードの前記したモード選択キー６−１ａをプッシュする。表示形態の初期状態においてモード選択キー６−１ａがプッシュされると、図７に示すような「射出計量設定」画像が表示される。このとき、「射出計量設定」画像中の設定用カーソル２１は、最上段左側の設定項目欄に位置付けられるようになっており、この設定用カーソル２１が位置している項目の数値が設定・変更可能であることを表している。図７の「射出計量設定」画像において、「冷却タイマ」の設定項目欄を探し出してそこをプッシュ（タッチ）すると、図８に示すように、「冷却タイマ」の設定項目欄に設定用カーソル２１が表示される。そして、この状態で「冷却タイマ」の設定項目欄の数値をテンキー６−３で変更することにより、冷却タイマの値が変更されるようになっている。
【００２１】
以上が、「１サイクルグラフ」画像を参照して冷却タイマの値を調整する操作であるが、この操作手順を並べると、▲１▼モード選択キー６−１ｆのプッシュ（タッチ）、▲２▼「１サイクルグラフ」選択用キーのプッシュ（タッチ）、▲３▼モード選択キー６−１ａのプッシュ（タッチ）、▲４▼「冷却タイマ」の設定項目欄のプッシュ（タッチ）、▲５▼冷却タイマの値の設定・変更、という手順となり、このように数多くの操作が必要となる。従来は、冷却タイマの値を調整する毎に、毎回このような煩わしい手順を必要としていたものに対し、本実施形態では、２回目以降の冷却タイマの調整の際の操作回数を、削減するようにしている。以下、これについて説明する。
【００２２】
すなわち、「１サイクルグラフ」画像を表示させる場合、最初に「１サイクルグラフ」画像を表示させる操作については従前と同様であるが、２回目以降に「グラフ」表示モードのモード選択キー６−１ｆをプッシュすると、前回「１サイクルグラフ」画像を表示させたことを記憶している表示処理部１５が、図９に示すように「１サイクルグラフ」画像を直ちに表示させる。この図９の「１サイクルグラフ」画像においては、画像中の下側に表示される画像選択用キー（画像選択用ファンクションキー）は、左端に「１サイクルグラフ」選択用キーが配置され、その右に順次、「射出グラフ」選択用キー、「計量グラフ」選択用キー、「１サイクルロジック」選択用キー、「項目選択」選択用キーが配置されるようになっており、最新に画像選択された画像順に、画像選択キーが再配置されるようになっている。
【００２３】
また、「射出計量設定」画像で冷却タイマの値の調整を行う場合、最初に冷却タイマの調整を行う場合の操作については従前と同様であるが、２回目以降に「射出計量」表示モードのモード選択キー６−１ａをプッシュして、「射出計量設定」画像を呼び出すと、前回「冷却タイマ」の項目が設定・変更されたことを記憶している表示処理部１５が、図１０に示すように、「冷却タイマ」の設定項目欄に設定用カーソル２１を位置付けた状態の「射出計量設定」画像を表示させる。したがって、「冷却タイマ」の項目欄を目視により探し出すことなしに、直ちに冷却タイマの値の調整を行うことが可能となる。
【００２４】
このような２回目以降の冷却タイマの調整の際の操作手順を並べると、▲１▼モード選択キー６−１ｆのプッシュ、▲２▼モード選択キー６−１ａのプッシュ、▲３▼冷却タイマの値の設定・変更、という手順となり、操作回数を少なくすることができるようになっている。つまり、従来は、２回目以降も冷却タイマの設定・変更の前に４回の操作が必要であったが、本実施形態では２回目以降は、冷却タイマの設定・変更の前の操作は、わずか２回で済むことになる。さらに、「射出計量設定」画像を表示させれば、「冷却タイマ」の設定項目欄に設定用カーソル２１が位置付けられているので、直ちに冷却タイマの値の変更を行うことができ、「冷却タイマ」の項目欄を探し出す手間が省け、素早く設定・変更が行え、かつ誤操作の虞も少なくなる。
【００２５】
なお、以上の表示処理の動作例では、ある１つのモード選択キーＮｘを操作して、これに対応するモード種別のある１つの画像が表示された状態において、選択されたモード種別の他の画像を選択するための画像選択用キーＭｘを操作した場合、次回、同一のモード選択キーＮｘが操作された場合には、最新に操作された画像選択用キーＭｘに対応する画像を優先的に自動表示し、かつ、画像選択用キーＭｘを左端に優先表示するようにしているが、１つの表示モード種別における各画像選択用キーに対応する画像群の中で、所定期間（例えば１日）内で最も操作頻度の高いものに対応する画像を、この表示モード種別に対応する同一のモード選択キーが操作された場合に、優先させて表示するとともに、複数の画像選択用キーを表示頻度の高い順に配置して表示するようにしてもよい。なおまた、設定用カーソル２１が存在する画像が呼び出された場合には、最新に操作された項目の位置に、設定用カーソルを自動的に位置付けるようにしているが、所定期間（例えば１日）内で最も設定・変更の操作頻度が高い項目の位置に、設定用カーソルを自動的に位置付けるようにしてもよい。
【００２６】
次に、運転条件設定の画像で、全く設定が行われない項目などについては、その項目の表示を画像上で消去する（マスクする）ようにした、表示処理の動作例について説明する。ここでは、運転条件設定の画像として、「射出計量設定」画像を例にとる。前記したような操作で、前記図７に示した「射出計量設定」画像が表示される。
【００２７】
図７に示した「射出計量設定」画像においては、射出行程（１次射出行程および保圧行程）や計量行程に関する多数項目（位置、速度、圧力、タイマ（時間）、ストローク（幅）、回転数等）の設定が可能となっている。そして、１次射出行程および保圧行程に関しては、別画像において段数設定が可能となっており、作業者は必要であろうと思われる段数を予め設定するようになっている。図７に示した例では、１次射出行程は５段（１速〜５速）に、保圧行程は４段（２次圧〜５次圧）に、それぞれ予め設定されたものとなっている。ところが、実際に試ショットを行いながら射出行程の条件を調整すると、必要でない段数が生じてくることがあり得る。このような場合、設定値が当初から全く入力されない段の設定値、あるいは、「射出計量設定」画像を複数回呼び出しても、設定値の変更が全く行われない段の設定値についても、表示を継続すると、見た目も煩雑であり、誤操作の原因ともなりかねない。
【００２８】
そこで、本実施形態では、ある運転条件設定画像が所定回数だけ呼び出し表示された際に、この間一度も操作されなかった項目については、順次画像から消していき、シンプルですっきりした画像表示となるようにしている。具体的には、例えば「射出計量設定」画像が３回呼び出し表示されても、１次射出行程の５速の項目、保圧行程の３次圧〜５次圧の項目について、一度も設定・変更の操作が行われなかった場合には、表示処理部１５は、１次射出行程の５速の項目、保圧行程の３次圧〜５次圧の項目の表示を次回以降は不要と判断し、次回の「射出計量設定」画像の表示時には、図１１に示すように、１次射出行程の５速の項目および保圧行程の３次圧〜５次圧の項目を消去した（マスクした）「射出計量設定」画像を表示させる。
【００２９】
また、消去された項目を復帰表示させるための表示復帰用マーク２２が、消去された項目の近傍に表示されるようになっており、この表示復帰用マーク２２をプッシュ（タッチ）することにより、図７のような表示状態に戻すことが可能となっている。
【００３０】
なお、ここでの例では、ある運転条件設定画像が所定回数だけ呼び出し表示された際に、この間一度も操作されなかった項目について、次回の同一の運転条件設定画像の呼び出し表示の際に消去するようにしているが、当初の運転条件設定画像の呼び出し時に設定されなかった項目で、かつ、この運転条件設定画像が所定回数だけ呼び出し表示された際にも、一度も操作されなかった項目についてのみ、次回の同一の運転条件設定画像の呼び出し表示の際に、自動的に消去するように構成してもよい。
【００３１】
なおまた、運転条件設定画像の呼び出し回数と、項目毎の設定・変更の操作回数との組み合わせで、消去する項目を設定するようにしても差し支えない。
【００３２】
次に、一覧表の形式で表示される運転条件設定画像において、よく操作される項目を優先して順位付けし、見やすく、かつ、設定・変更の容易なように優先配置して表示し、さらに、表示が不要と判断される項目については、自動的に消去するようにした、表示処理の動作例について説明する。なお、本発明でいう一覧表形式の運転条件設定画像とは、表示画面上に設定値の項目を複数個、縦あるいは横に並べて表示した形態の画像を指している。
【００３３】
射出成形機における運転条件設定画像の種類の中には、設定・変更可能な項目は多数設けられているが、殆どの項目については当初の設定値を変更することがなく、頻繁に設定・変更する項目は、１つか２つである運転条件設定画像が存在する。このような運転条件設定画像の１つに、半固定値設定画像がある。
【００３４】
いま、初期状態において「メンテナンス」表示モードのモード選択キー６−１ｈをプッシュすると、前述したように、図示していないが「点検」画像が表示され、この画像中の「Ｆキー次」選択キーを２回プッシュ（タッチ）することで、「半固定値１」選択用キー等々を表示させ、次に、「半固定値１」選択用キーをプッシュ（タッチ）することで、図１２に示すような「半固定値１（半固定値設定１）」画像が表示される。なお、「半固定値１（半固定値設定１）」画像では、左列の最上段の項目に設定用カーソル２１が自動的に位置付けられるようになっている。この図１２の「半固定値１（半固定値設定１）」画像において、例えば左列の上から３番目の「型厚型開」の設定欄をタッチし、ここに設定用カーソル２１を位置付けた状態で、「型厚型開」の設定を１００％から９０％に変更したとする。
【００３５】
次に、他のモード種別の適宜の画像の表示状態において、モード選択キー６−１ｈをプッシュすると、「メンテナンス」表示モードで前回表示された画像は「半固定値１（半固定値設定１）」画像であることを記憶している表示処理部１５が、図１３に示すような「半固定値１（半固定値設定１）」画像を直ちに表示させる。この図１３の「半固定値１（半固定値設定１）」画像では、前回に設定・変更の操作が行われた「型厚型開」の項目が、左列の最上段に並び換えて表示されている。このようにすると、２回目以降の「型厚型開」の設定・変更は、左列の最上段の項目であるので、探し出す手間が要らず、しかも、この場合には左列の最上段の項目に設定用カーソル２１が常に位置しているので、「型厚型開」の設定・変更が迅速・確実に、かつ、誤操作の虞なく行うことができる。なお、図１３の「半固定値１（半固定値設定１）」画像においては、画像中の下側に表示される画像選択用キーは、「半固定値１」選択用キーが先頭になるように並び換えられている。
【００３６】
また、図１３の「半固定値１（半固定値設定１）」画像において、例えば右列の上から２番目の「射出スタートタイミング」の設定欄をタッチし、ここに設定用カーソル２１を位置付けた状態で、「射出スタートタイミング」の設定を０．２０ｓから０．１５ｓに変更したとする。そして次に、他のモード種別の適宜の画像の表示状態において、モード選択キー６−１ｈをプッシュすると、図１４に示すような「半固定値１（半固定値設定１）」画像が直ちに表示される。この図１４の「半固定値１（半固定値設定１）」画像では、前回に設定・変更の操作が行われた「射出スタートタイミング」の項目が、右列の最上段に並び換えて表示されている。
【００３７】
またさらに、図１４の「半固定値１（半固定値設定１）」画像において、「型厚型開」の設定を９０％から９５％に変更したとする。そして次に、他のモード種別の適宜の画像の表示状態において、モード選択キー６−１ｈをプッシュすると、図１５に示すような「半固定値１（半固定値設定１）」画像が直ちに表示される。この図１５の「半固定値１（半固定値設定１）」画像では、設定・変更された項目が、「型厚型開」の項目と「射出スタートタイミング」の項目のみで、他の項目の表示は不要であると判断した表示処理部１５が、「型厚型開」と「射出スタートタイミング」の２つの項目のみを表示させたものとしている。このようにすると、２つの項目のみが表示されたすっきりした画像構成となり、誤操作もなく、スピーディな設定・変更を行うことが可能となる。なお、図１５においても、消去された項目を復帰表示させるための表示復帰用マーク２２が表示されるようになっており、この表示復帰用マーク２２をプッシュ（タッチ）することにより、図１４のような表示状態に戻すことを可能としている。
【００３８】
なおまた、縦１列の項目群の中で、複数の項目の値が変更操作された場合には、最新に変更操作された項目を最上段にし、以下その次に新しい項目から、順次下へ配置するようにしてもよいし、所定期間（例えば１日）内で最も変更操作頻度の高い項目を最上段にし、以下その次に変更操作頻度の高い項目から、順次下へ配置するようにしてもよい（同一頻度の場合には、最新に操作された項目を上側にすればよい）。さらにまた、一覧表の形式で表示される運転条件設定画像が、項目の縦配列である場合を示したが、項目が横配列である場合には、最も左側に最優先する項目を表示させるようにすればよい。
【００３９】
図１６は、前記した入力装置６のモード選択キー６−１ａ〜６−１ｈをプッシュした際に、各表示のモード種別毎において、所定期間内で最も表示頻度の高いものに対応する画像を優先させて表示するとともに、複数の画像選択用キーを表示頻度の高い順に配置して表示する制御を行う場合の、前記表示処理部１５内の画像表示順序管理テーブル（画像表示順序管理用メモリ）の内容を示す図である。
【００４０】
画像表示順序管理テーブルは、各表示のモード種別毎（モード選択キー６−１ａ〜６−１ｈ毎）に設けられ、そのモード種別における各画像の画像番号に対応付けて、所定期間内における表示回数を計数する表示カウンタ部と、最新の表示時刻（ここでは簡略化してあるが月日を含む）を記憶する時刻記憶部と、表示の優先順位を記憶する順位記憶部とが、設けられている。初期状態においては、表示カウンタ部の内容は総て「０」であり、順位記憶部には初期値として設定された予め定めた画像の並び順（例えば、図４に示した並び順）の番号が格納されている。このモード種別においてある画像が選択されて表示されると、その画像番号の表示カウンタ部の内容がカウントＵＰ（＋１）されると同時に、時刻記憶部にその表示時刻が記憶される。さらに、表示カウンタ部の内容を参照して、カウンタ値の多い順に画像の表示順位を並び換え、かつ、カウンタ値が「０」の画像はその後に、初期値順に並ぶように、順位記憶部の内容を更新する処理が行われる。このとき、カウンタ値が同一の画像が複数あるときには、最新の時刻順に優先して順位付けを行う。なお、画像表示順序管理テーブルの内容は、所定期間が経過すると初期状態にクリアされる。
【００４１】
そして、この画像表示順序管理テーブルに対応するモード選択キーがプッシュされると、最も優先順位の高い画像を表示させるとともに、並び換えた順位記憶部の内容にしたがって、画像選択用キーを並べて表示する。図１７のフローチャートは、このような制御処理の概要を示している。
【００４２】
図１８は、ある一覧表形式の運転条件設定画像が表示された際に、この運転条件設定画像において、所定期間内で最も設定・変更の操作頻度の高い設定項目順に項目表示の並び換えを行うとともに、この運転条件設定用画像が複数回呼び出された際に設定・変更の操作が行われなかった項目を消去する制御を行う場合の、前記表示処理部１５内の項目表示順序管理テーブル（項目表示順序管理用メモリ）の内容を示す図である。なお、ここでは説明の簡略化のため、一覧表形式の運転条件設定画像は、１列のみの一覧表形式であるとする。
【００４３】
項目表示順序管理テーブルは、一覧表形式の各運転条件設定画像毎に設けられ、その運転条件設定画像における各設定項目の項目番号に対応付けて、所定期間内における設定・変更（入力ないし変更）の回数を計数するアクセスカウンタ部と、最新の設定・変更の時刻（ここでは簡略化してあるが月日を含む）を記憶する時刻記憶部と、表示の優先順位を記憶する順位記憶部とが、設けられている。初期状態においては、アクセスカウンタ部の内容は総て「０」であり、順位記憶部には初期値とした予め定めた設定項目の並び順の番号が格納されている。この項目表示順序管理テーブルに対応する運転条件設定画像が呼び出され、この運転条件設定画像においてある項目の値が設定・変更されると、その項目番号のアクセスカウンタ部の内容がカウントＵＰ（＋１）されると同時に、時刻記憶部にその設定・変更された時刻が記憶される。さらに、アクセスカウンタ部の内容を参照して、カウンタ値の多い順に設定項目の表示順位を並び換え、かつ、カウンタ値が「０」の項目はその後に、初期値順に並ぶように、順位記憶部の内容を更新する。このとき、カウンタ値が同一の項目が複数あるときには、最新の時刻順に優先して順位付けを行う。なお、項目表示順序管理テーブルの内容は、所定期間が経過すると初期状態にクリアされる。
【００４４】
そして、他の画像の表示状態から、この表示順序管理テーブルに対応する一覧表形式の運転条件設定画像が呼び出されると、優先順位の高い順に設定項目を並び換えた一覧表形式の運転条件設定画像を表示させるとともに、この運転条件設定画像が所定回数（例えば３回）表示されても一度も設定・変更されていない項目については表示しないようして、代わりに表示復帰用マークを表示する。図１９のフローチャートは、このような制御処理の概要を示している。
【００４５】
なお、アクセスカウンタ部のカウンタ値による順位付けには、時間の要素を加味して、カウンタ値が大きいものであっても、設定・変更した月日時刻が古いもの（例えば１２時間以上経過したもの等）については、優先順位を下げるようにしてもよい（これは、図１６の前記した表示カウンタ部のカウンタ値による順位付けにおいても、同様である）。
【００４６】
ここで、以上に述べてきた学習機能による変化する表示形態は、ある一定の期間（例えば、２４時間）操作がない場合には、表示処理部１５の機能によって、自動的に初期の設定状態に復帰させるようにしているが、表示形態を初期の設定状態に復帰させるための図示せぬ初期状態復帰キーを設けて、このキーをプッシュすることにより、総ての表示を初期設定状態に戻すようにすることも可能である。
【００４７】
【発明の効果】
以上のように本発明によれば、よく利用する画像に素早くアクセス可能で、また、よく利用する設定項目の迅速な設定・変更操作が可能となる、総じて、操作しやすく、あるいは、見やすい表示を行うことのできる、ユーザフレンドリィな成形機を提供することができる。
【図面の簡単な説明】
【図１】本発明の一実施形態に係る射出成形機の外観を示す正面図である。
【図２】本発明の一実施形態に係る射出成形機における、操作・表示パネルの正面図である。
【図３】本発明の一実施形態に係る射出成形機における、表示処理制御系の構成を示すブロックである。
【図４】本発明の一実施形態に係る射出成形機における、各モード選択キーにそれぞれ対応する表示のモード種別と、各モード種別毎に用意された画像の種類を示す説明図である。
【図５】本発明の一実施形態に係る射出成形機における、「射出グラフ」画像の例を示す説明図である。
【図６】本発明の一実施形態に係る射出成形機における、「１サイクルグラフ」画像の例を示す説明図である。
【図７】本発明の一実施形態に係る射出成形機における、「射出計量設定」画像の例を示す説明図である。
【図８】本発明の一実施形態に係る射出成形機における、「射出計量設定」画像の例を示す説明図である。
【図９】本発明の一実施形態に係る射出成形機における、「１サイクルグラフ」画像の例を示す説明図である。
【図１０】本発明の一実施形態に係る射出成形機における、「射出計量設定」画像の例を示す説明図である。
【図１１】本発明の一実施形態に係る射出成形機における、「射出計量設定」画像の例を示す説明図である。
【図１２】本発明の一実施形態に係る射出成形機における、「半固定設定１」画像の例を示す説明図である。
【図１３】本発明の一実施形態に係る射出成形機における、「半固定設定１」画像の例を示す説明図である。
【図１４】本発明の一実施形態に係る射出成形機における、「半固定設定１」画像の例を示す説明図である。
【図１５】本発明の一実施形態に係る射出成形機における、「半固定設定１」画像の例を示す説明図である。
【図１６】本発明の一実施形態に係る射出成形機における、表示処理部の画像表示順序管理テーブルの内容例を示す説明図である。
【図１７】本発明の一実施形態に係る射出成形機における、表示処理の概要を示すフローチャートである。
【図１８】本発明の一実施形態に係る射出成形機における、表示処理部の項目表示順序管理テーブルの内容例を示す説明図である。
【図１９】本発明の一実施形態に係る射出成形機における、表示処理の概要を示すフローチャートである。
【符号の説明】
１  ベース盤
２  型締めユニット
３  射出ユニット
４  操作・表示パネル
５  表示装置
６  入力装置
６−１ａ〜６−１ｈ  モード選択キー
１０  システムコントローラ
１１  運転条件設定格納部
１２  測定値格納部
１３  モニタ演算処理部
１４  表示用固定データ格納部
１５  表示処理部
１６  画像バッファメモリ
２１  設定用カーソル
２２  表示復帰用マーク
【図１】
0003739698.tif 000002
【図２】
0003739698.tif 000003
【図３】
0003739698.tif 000004
【図４】
0003739698.tif 000005
【図５】
0003739698.tif 000006
【図６】
0003739698.tif 000007
【図７】
0003739698.tif 000008
【図８】
0003739698.tif 000009
【図９】
0003739698.tif 000010
【図１０】
0003739698.tif 000011
【図１１】
0003739698.tif 000012
【図１２】
0003739698.tif 000013
【図１３】
0003739698.tif 000014
【図１４】
0003739698.tif 000015
【図１５】
0003739698.tif 000016
【図１６】
0003739698.tif 000017
【図１７】
0003739698.tif 000018
【図１８】
0003739698.tif 000019
【図１９】
0003739698.tif 000020